(57)【要約】      （修正有）【課題】内容物の残存が少なく、内容物の吐出が容易かつ洗浄がしやすく、繰り返し使用でき、小型で内容物の収容が容易な携帯用容器を提供する。【解決手段】携帯用容器は、本体及び蓋部を有し、本体は、本体の一部が内部方向へ押し込まれることによって内側へ変形する本体変形部２３と、蓋部が嵌着する本体嵌着部とを有し、蓋部は、吐出口と蓋部嵌着部３４とを有し、吐出口は、内部空間１０からの内容物の流出及び防止を任意に行うことができる構造を有し、吐出口周辺部３２は、変形が小さく構成され、携帯用容器は、吐出口から内容物が流出しない状態で蓋部が本体に嵌着されることで、内部空間に内容物を保持し、吐出口周辺部及び本体嵌着部は、蓋部嵌着部及び本体変形部よりも変形が小さく、蓋部の本体への嵌着時に吐出口周辺部と本体嵌着部とが当接する。【選択図】図４
0003209527.tif 000002
【実用新案登録請求の範囲】
【請求項１】
内部空間に流動性のある内容物を収容する携帯用容器であって、
前記携帯用容器は、本体及び蓋部を有し、かつ、一部又は全部が変形可能な構造であり、
前記本体は、前記本体の一部が内部方向へ押し込まれることによって内側へ変形する本体変形部と、蓋部が嵌着する本体嵌着部とを有し、
前記蓋部は、吐出口と蓋部嵌着部とを有し、前記吐出口は、内部空間からの内容物の流出を可能化及び防止を任意に行うことができる構造を有し、かつ、前記吐出口周辺の吐出口周辺部は、変形が小さく構成され、
前記携帯用容器は、前記吐出口から内容物が流出しない状態で蓋部が本体に嵌着されることで、本体及び蓋部間の内部空間に内容物を保持し、
前記携帯用容器は、内部空間内に内容物を入れ蓋部が本体に嵌着された状態で吐出口の内部空間からの内容物の流出が可能になり、前記本体の一部が内部方向に押し込まれることで、吐出口から内容物を吐出し、
前記吐出口周辺部及び前記本体嵌着部は、前記蓋部嵌着部及び前記本体変形部よりも変形が小さく、蓋部の本体への嵌着時に前記吐出口周辺部と本体嵌着部とが当接することを特徴とする携帯用容器。
【請求項２】
前記吐出口周辺部の厚みが前記蓋部嵌着部の厚みより厚く、かつ、前記本体嵌着部の厚みが前記本体変形部の厚みよりも厚いことを特徴とする請求項１に記載の携帯用容器。
【請求項３】
吐出口における、内部空間からの内容物の流出を可能化及び防止を任意に行うことができる構造が、キャップを嵌着する構造及び栓を吐出口に詰める構造のうちいずれか一方またはその両方により成ることを特徴とする請求項１又は２に記載の携帯用容器。
【考案の詳細な説明】
【技術分野】
【０００１】
本考案は、内部空間に流動性のある内容物を収容する携帯用容器に関する。
【背景技術】
【０００２】
調味料を収容して弁当箱に入れ、弁当を食べるときに調味料をかけて食べることは従来よりなされている。
例えば、市販されている弁当に、魚の形状をした、しょうゆを入れた容器が入れられ、販売されていることがしばしば見受けられる。
家庭で調理される弁当にも、調味料を入れた携帯用容器を添え、弁当を食べる際に調味料をかけて食べることはなされている。
【考案の概要】
【考案が解決しようとする課題】
【０００３】
しかしながら、前述の従来技術による携帯用容器では、内容物である調味料を容器から放出する際、調味料が容器内に残存し、調味料が無駄になるとともに容器の口が小さいため洗浄がしにくいなどの問題点があった。
こうした点を改良した携帯用容器もあるが、調味料を詰めるのに手間がかかったり、内容物の吐出がしにくいものや、洗浄が困難等の理由で使い捨てで繰り返し使用することに適さないものも多いという問題点があった。
また、容器の大きさが大きいと、かさばって弁当箱の収容容積を減らしてしまい、小型の弁当箱には使用しにくいという問題点があった。
斯かる実情に鑑み、本考案は、内容物の残存が少なく、内容物の吐出が容易かつ洗浄がしやすく、繰り返し使用でき、小型で内容物の収容が容易な携帯用容器を提供することを目的とする。
【課題を解決するための手段】
【０００４】
本考案は、内部空間に流動性のある内容物を収容する携帯用容器であって、前記携帯用容器は、本体及び蓋部を有し、かつ、一部又は全部が変形可能な構造であり、前記本体は、前記本体の一部が内部方向へ押し込まれることによって内側へ変形する本体変形部と、蓋部が嵌着する本体嵌着部とを有し、前記蓋部は、吐出口と蓋部嵌着部とを有し、前記吐出口は、内部空間からの内容物の流出を可能化及び防止を任意に行うことができる構造を有し、かつ、前記吐出口周辺の吐出口周辺部は、変形が小さく構成され、前記携帯用容器は、前記吐出口から内容物が流出しない状態で蓋部が本体に嵌着されることで、本体及び蓋部間の内部空間に内容物を保持し、前記携帯用容器は、内部空間内に内容物を入れ蓋部が本体に嵌着された状態で吐出口の内部空間からの内容物の流出が可能になり、前記本体の一部が内部方向に押し込まれることで、吐出口から内容物を吐出し、前記吐出口周辺部及び前記本体嵌着部は、前記蓋部嵌着部及び前記本体変形部よりも変形が小さく、蓋部の本体への嵌着時に前記吐出口周辺部と本体嵌着部とが当接することを特徴とする携帯用容器である。
本考案において、前記吐出口周辺部の厚みが前記蓋部嵌着部の厚みより厚く、かつ、前記本体嵌着部の厚みが前記本体変形部の厚みよりも厚いことが好適である。
本考案において、吐出口における、内部空間からの内容物の流出を可能化及び防止を任意に行うことができる構造としては、キャップを嵌着する構造、栓を吐出口に詰める構造、調節弁による構造等が挙げられるが、キャップを嵌着する構造及び栓を吐出口に詰める構造のうちいずれか一方またはその両方より成ることが成形による製造が容易な点において好適である。
【考案の効果】
【０００５】
本考案に係る携帯用容器は、吐出時に吐出口が変形により閉じることがなく、かつ、内部空間全体が、吐出口と連続した状態で吐出口から断絶された部分を有さずに収縮するため、途中に内容物を留めることなく内容物を無駄なく吐出することができる。従って、調味料等の容器内での残存が少なく、吐出も容易である。また、内容物の残存が少ないことに加え、注入口が一定の広さの開口を有して内部とつながっているため、内部の洗浄も容易である。
更に、本考案に係る携帯用容器は、注入口から直接調味料を詰められるため内容物が注入し易い。また、小型で、何度も使うことができる。
従って、極めて実用性に優れたものである。
【図面の簡単な説明】
【０００６】
【図１】本考案に係る携帯用容器の実施形態例において蓋部を閉じた状態の図である。
【図２】本考案に係る携帯用容器の実施形態例において蓋部を開いた状態の側面図である。
【図３】本考案に係る携帯用容器の実施形態例において蓋部を開いた状態の上面図である。
【図４】本考案に係る携帯用容器の実施形態例において蓋部を開いた状態の断面図である。
【図５】本考案に係る携帯用容器の実施形態例において内容物を注入する状態の図である。
【図６】本考案に係る携帯用容器の実施形態例において内容物が収容された状態の断面図である。
【図７】本考案に係る携帯用容器の実施形態例において内容物を吐出する状態の断面図である。本体押込部が内部方向へ押し込まれ、本体変形部が変形することにより、内容物が押し出されている。
【考案を実施するための形態】
【０００７】
以下、本考案の実施形態について添付図面を参照して説明する。但し、本考案は、下記実施形態に限定されるものではない。
図１は、本考案の実施形態例の携帯用容器の蓋部を閉じた状態を示す。
図２は、図１に示される本考案の実施形態例の携帯用容器の蓋部を開いた状態を示す。
図１に示される携帯用容器１は、内部空間１０に流動性のある内容物１１を収容する。携帯用容器１は、本体２及び蓋部３を有し、かつ、一部又は全部が変形可能な構造を有する。
本体２は、本体押込部２１が内部方向へ押し込まれることによって本体変形部２３が変形し内部空間１０を縮小させる本体押込部２１と、蓋部３が嵌着する本体嵌着部２２とを有し、蓋部３は、吐出口３１とを有し、吐出口３１は、内部空間１０からの内容物１１の流出を可能化及び防止を任意に行うことができる調節構造３３を有し、かつ、吐出口３１周辺の吐出口周辺部３２は、変形が小さく構成され、携帯用容器１は、吐出口３１から内容物１１が流出しない状態で蓋部３が本体２に嵌着されることで、本体２及び蓋部３間の内部空間１０に内容物１１を保持する。
本体変形部２３は、本体押込部２１の周辺に形成された、変形が容易な部分であり、携帯用容器１では、厚みが薄いことにより変形が容易になっている。
【０００８】
携帯用容器１は、内部空間１０内に内容物１１を入れ蓋部３が本体２に嵌着された状態で吐出口３１の内部空間１０からの内容物１１の流出が可能になり、本体押込部２１が内部方向に押し込まれることで、吐出口３１から内容物１１を吐出し、吐出口周辺部３２及び本体嵌着部２２は、蓋部嵌着部３４及び本体変形部２３よりも変形が小さく、蓋部３の本体２への嵌着時に吐出口周辺部３２と本体嵌着部２２とが当接する。
本体嵌着部２２は、本体嵌着部突起２２ａを有し、本体嵌着部突起２２ａと、蓋部嵌着部３４が有する蓋部嵌着部環状突起３４ａと係合することにより、本体２と蓋部３とが意図せず外れてしまうことを防ぐ構造になっている。
図３は、図１に示される本考案の実施形態例の携帯用容器の蓋部を開いた状態を示す。
携帯用容器１において、本体２に対して、蓋部３が嵌着により開閉可能になっている。蓋部３の吐出口３１は、突起部３５の先端に存在し、キャップ３１１が突起部３５に嵌着し、内容物の１１流出を防止することができると共に、キャップ３１１を取り外すことで、内容物の流出が可能になる。キャップ３１１は、連結部３１２により蓋部３と一体になっている。
キャップ３１１は、キャップ係止溝部３１１ａを有し、キャップ係止溝部３１１ａと突起部３５が有する突起部フランジ３５ａとが係合することにより、キャップ３１１とが意図せず外れてしまうことを防ぐと共に、係合部分が内容物の流出を防ぐ構造になっている。
【０００９】
図４は、本考案に係る実施形態例の携帯用容器の蓋部を開いた状態の断面図を示す。
吐出口周辺部３２の厚みが蓋部嵌着部３４の厚みより厚く、かつ、本体嵌着部２２の厚みが本体変形部２３の厚みよりも厚くなっている。従って、同一の材質で一体に成形でき、かつ、本体押込部２１が内部方向へ押し込まれた際、内部空間を包囲する部分を一定形状に留め、内容物１１の吐出を容易にすると共に内部空間１０における内容物１１の残存を少なくすることができるために好ましいものとなっている。
【００１０】
図５に示す通り、本考案に係る実施形態例の携帯用容器は、蓋部３を開いた状態で容易に内容物１１を内部空間１０へ注入口４０から直接注入することができる。従って、一度流動性のある内容物を他の器に入れてから吸引して詰める等の手間がかからず、容易に内容物を携帯用容器内に収容することができる。
【００１１】
図６に示す通り、本考案に係る実施形態例の携帯用容器１は、蓋部３を閉じた状態で内容物１１を内部空間１０に収容することができる。
携帯用容器１では、吐出口周辺部後端３２ａと本体嵌着部先端２２ｂとが当接し、本体嵌着部２２と蓋部嵌着部３４とが一定の位置に保たれ、かつ変形の少ない吐出口周辺部と本体嵌着部とが連結することにより、吐出口から本体嵌着部まで変形の少ないテーパー形状の構造となり、内容物の吐出時に吐出が容易になる構造となっている。また、本体嵌着部２２と蓋部嵌着部３４とが重なることにより、内容物の流出を防ぐ構造となっている。
【００１２】
図７に示す通り、本考案に係る実施形態例の携帯用容器１は、蓋部３を本体２に嵌着した状態、即ち閉じた状態で吐出口３１からの内容物１１の流出を可能にし、本体押込部２１が内部方向へ押し込まれることで、吐出口３１から流出した内容物、例えば、ケチャップ、マヨネーズ等の調味料を押し出すことができる。本体押込部２１が内部方向へ押し込まれた際も、蓋部嵌着部と本体嵌着部とが重なった状態は保たれるため、内圧により蓋部嵌着部と本体嵌着部との隙間から内容物が流出しない。
【００１３】
本考案の実施形態に係る携帯用容器の本体は、本体押込部が内部方向へ押し込まれることによって内側へ変形する構造であれば、材質に制限はない。前記材質は、全体が一定の柔軟性を有する材質であることにより、弁当箱内で食材を押しつぶすことを緩和するため好ましく、本体及び蓋部の全部が、シリコーンゴム、シリコーンゴム以外のゴム、熱可塑性エラストマー、熱硬化性のエラストマー等のエラストマーより成っていることが、柔軟性の点及び一体成形により効率的に製造できる点で更に好ましく、耐熱性等の点からシリコーンゴムにより成っていることがより更に好ましい。
本体変形部が伸縮する構造、折れ曲がる構造等を有することにより、本体変形部は、内部空間が縮小する方向である内側へ変形する。
本体２における、蓋部３が嵌着する部分である本体嵌着部２２は、変形が少なく、本体押込部２１が内部方向へ押し込まれることにより、蓋部３における吐出口周辺部３２と当接し、本体押込部２１より硬い部分が内部空間１０を筒状等の一定形状に保ち、吐出口３１からの内容物１１の流出を容易にすると共に、内容物１１の内部空間１０内への残存を少なくする。
【００１４】
本考案の実施形態に係る携帯用容器の蓋部３は、吐出口３１と蓋部嵌着部３４を有し、吐出口３１周辺の吐出口周辺部３２は、少なくとも本体押込部２１より変形が小さく構成されることにより、吐出口が押しつぶされて閉じにくい構造になっている。
前記構造は、厚みを厚くすることによるものであっても、素材が比較的硬いことによるものであっても良いが、それらに限定されるものではない。
吐出口３１は、内部空間１０からの内容物１１の流出を可能化及び防止を任意に行うことができる調節構造３３を有する。弁当箱内に入れ携帯する際等には、内容物１１の流出を防止し、内容物１１を吐出する際には、内容物１１の流出が可能になる。
【００１５】
本考案の実施形態に係る携帯用容器において、吐出口における、内部空間からの内容物の流出を可能化及び防止を任意に行うことができる調節構造が、キャップを嵌着する構造及び栓を吐出口に詰める構造のうちいずれか一方またはその両方より成ることが、内容物の流出を防ぎやすいため好適である。
【符号の説明】
【００１６】
１        携帯用容器
２        本体
３        蓋部
１０      内部空間
１１      内容物
２１      本体押込部
２２      本体嵌着部
２２ａ    本体嵌着部突起
２２ｂ    本体嵌着部先端
２３      本体変形部
３１      吐出口
３１１    キャップ
３１１ａ  キャップ係止溝部
３１２    連結部
３２      吐出口周辺部
３２ａ    吐出口周辺部後端
３３      調節構造
３４      蓋部嵌着部
３４ａ    蓋部嵌着部環状突起
３５      突起部
３５ａ    突起部フランジ
４０      注入口
【図１】
0003209527.tif 000003
【図２】
0003209527.tif 000004
【図３】
0003209527.tif 000005
【図４】
0003209527.tif 000006
【図５】
0003209527.tif 000007
【図６】
0003209527.tif 000008
【図７】
0003209527.tif 000009